(57)【特許請求の範囲】
【請求項１】
複数のゲートラインと複数のデータラインによって定義されるピクセル領域ごとに形成された液晶セルを有する映像表示部と、
入力されるソースデータから動く表示映像の動きを検出し、前記動きによって液晶の応答速度を変化させる変調データを生成する高速駆動装置部と、
前記ゲートラインにスキャン信号を供給するゲートドライバと、
前記変調データをアナログビデオ信号に変換して前記データラインに供給するデータドライバと、
前記変調データを整列してデータドライバに供給し、データ制御信号を生成して前記データドライバを制御すると同時に、ゲート制御信号を生成して前記ゲートドライバを制御するタイミングコントローラと、
を備え、
前記高速駆動装置部は、
フレーム単位形式で入力される前記ソースデータを保存するメモリ部と、
入力される現在のフレームのソースデータとメモリ部からの以前のフレームのソースデータを用いて、動く表示映像の動き速度に対応する動き大きさ信号を検出する動き検出部と、
複数のルックアップテーブルを用いて複数の高速データを生成し、複数の高速データのうち前記動き大きさ信号に該当する一つを選択して出力する高速データ生成部であって、前記複数のルックアップテーブルは、前記動く表示映像のフレーム当たり移動したピクセル数に対応する動き速度を示す異なる高速データをそれぞれ出力する高速データ生成部と、
前記現在のフレームのソースデータと、前記高速データ生成部によって生成された高速データとを混合し、前記変調データを出力するミキシング部と、
を含み、
前記動き検出部は、前記以前のフレームから前記現在のフレームへの動きに対するＸ軸変位及びＹ軸変位である動きベクトルＸ及びＹを検出して前記動き大きさ信号を検出し、
前記複数のルックアップテーブルは第１乃至第４のルックアップテーブルを含み、
前記現在のフレーム及び以前のフレームから得られる２ピクセル／フレーム高速データは前記第１のルックアップテーブルに入力され、
前記現在のフレーム及び以前のフレームから得られる４ピクセル／フレーム高速データは前記第２のルックアップテーブルに入力され、
前記現在のフレーム及び以前のフレームから得られる６ピクセル／フレーム高速データは前記第３のルックアップテーブルに入力され、
前記現在のフレーム及び以前のフレームから得られる８ピクセル／フレーム高速データは前記第４のルックアップテーブルに入力されることを特徴とする、液晶表示装置の駆動装置。
【請求項２】
前記複数のルックアップテーブルは、前記現在のフレームのソースデータと前記以前のフレームのソースデータを入力して、相異なる複数の高速データをそれぞれ出力し、
前記高速データ生成部は、前記動き大きさ信号に基づいて入力される複数の高速データのうち、前記高速データの一つをそれぞれ選択して出力する選択部を含むことを特徴とする、請求項１に記載の液晶表示装置の駆動装置。
【請求項３】
複数のゲートラインと複数のデータラインによって定義されるピクセル領域ごとに形成された液晶セルを有する映像表示部と、
入力されるソースデータから動く表示映像の信号を検出し、前記検出された信号によって液晶の応答速度を変化させる変調データを生成する高速駆動装置と、
前記ゲートラインにスキャン信号を供給するゲートドライバと、
前記変調データをアナログビデオ信号に変換して前記データラインに供給するデータドライバと、
前記変調データを整列し、データ制御信号及びゲート制御信号を生成し、前記整列データ及びデータ制御信号を前記データドライバに出力して前記ゲート制御信号を前記ゲートドライバに出力するタイミングコントローラと、
フレーム単位に入力されるソースデータを保存する第１メモリ部と、
入力される現在のフレームのソースデータと前記第１メモリ部からの以前のフレームのソースデータを用いて、動く表示映像の動き速度に対応する動き大きさ信号を検出する動き検出部と、
前記動き大きさ信号によって表示映像の境界部でアンダーシュートが発生するようにデータをフィルタリングする動きフィルタ部と、
前記動きフィルタ部でフィルタリングされた現在のフレームのデータを保存する第２メモリ部と、
相異なる高速データが登載された複数のルックアップテーブルを用いて、複数の高速データを生成し、前記複数の高速データのうち前記動き大きさ信号に該当する一つの高速データを選択して出力する高速データ生成部と、
フィルタリングされた現在のフレームのデータと高速データとをミキシングして変調データを出力するミキシング部と、
を備え、
前記動き検出部は、前記以前のフレームから前記現在のフレームへの動きに対するＸ軸変位及びＹ軸変位である動きベクトルＸ及びＹを検出して前記動き大きさ信号を検出し、
前記複数のルックアップテーブルは第１乃至第４のルックアップテーブルを含み、
前記現在のフレーム及び以前のフレームから得られる２ピクセル／フレーム高速データは前記第１のルックアップテーブルに入力され、
前記現在のフレーム及び以前のフレームから得られる４ピクセル／フレーム高速データは前記第２のルックアップテーブルに入力され、
前記現在のフレーム及び以前のフレームから得られる６ピクセル／フレーム高速データは前記第３のルックアップテーブルに入力され、
前記現在のフレーム及び以前のフレームから得られる８ピクセル／フレーム高速データは前記第４のルックアップテーブルに入力されることを特徴とする、液晶表示装置の駆動装置。
【請求項４】
前記複数のルックアップテーブルは、前記現在のフレームのフィルタリングされたソースデータと前記以前のフレームのフィルタリングされたソースデータを入力し、相異なる複数の高速データをそれぞれ出力し、
前記高速データ生成部は、前記動き大きさ信号に基づいて入力される複数の高速データのうち、前記高速データの一つをそれぞれ選択して出力する選択部を含むことを特徴とする、請求項３に記載の液晶表示装置の駆動装置。
【請求項５】
前記動きフィルタ部は、
現在のフレームのデータから、動く表示映像の境界部を検出する境界検出部と、
前記動き大きさ信号によって、前記検出された表示映像の境界部でアンダーシュートが発生するようにデータをフィルタリングするアンダーシュート発生部と、
を備えて構成されることを特徴とする、請求項３に記載の液晶表示装置の駆動装置。
【請求項６】
映像を表示する映像表示部を有する液晶表示装置の駆動方法において、
入力されるソースデータから、動く表示映像の動きを検出し、前記動きによって液晶の応答速度を変化させる変調データを生成する段階と、
ゲートラインにスキャン信号を供給する段階と、
前記スキャン信号に同期するように前記変調データをアナログビデオ信号に変換してデータラインに供給する段階と、
を備え、
前記検出する段階は、
フレーム単位形式で入力される前記ソースデータを保存する段階と、
入力される現在のフレームのソースデータと以前のフレームのソースデータを用いて、動き検出部によって動く表示映像の動き速度に対応する動き大きさ信号を検出する段階と、
複数のルックアップテーブルを用いて複数の高速データを生成し、複数の高速データのうち前記動き大きさ信号に該当する一つを選択して出力する段階であって、前記複数のルックアップテーブルが、前記動く表示映像のフレーム当たり移動したピクセル数に対応する動き速度を示す異なる高速データをそれぞれ出力する段階と、
前記現在のフレームのソースデータと、前記選択された高速データとを混合し、前記変調データを出力する段階と、
を含み、
前記動き検出部は、前記以前のフレームから前記現在のフレームへの動きに対するＸ軸変位及びＹ軸変位である動きベクトルＸ及びＹを検出して前記動き大きさ信号を検出し、
前記複数のルックアップテーブルは第１乃至第４のルックアップテーブルを含み、
前記現在のフレーム及び以前のフレームから得られる２ピクセル／フレーム高速データは前記第１のルックアップテーブルに入力され、
前記現在のフレーム及び以前のフレームから得られる４ピクセル／フレーム高速データは前記第２のルックアップテーブルに入力され、
前記現在のフレーム及び以前のフレームから得られる６ピクセル／フレーム高速データは前記第３のルックアップテーブルに入力され、
前記現在のフレーム及び以前のフレームから得られる８ピクセル／フレーム高速データは前記第４のルックアップテーブルに入力されることを特徴とする、液晶表示装置の駆動方法。
【請求項７】
前記高速データを出力する段階は、
現在のフレームのデータと以前のフレームのデータが入力され、相異なる複数の高速データをそれぞれ出力する段階と、
入力される複数の高速データのうち、前記動き大きさ信号による高速データを選択して出力する段階と、
を含むことを特徴とする、請求項６に記載の液晶表示装置の駆動方法。
【請求項８】
映像を表示する映像表示部を有する液晶表示装置の駆動方法において、
入力されるソースデータから動く表示映像の信号を検出し、前記検出された信号によって液晶の応答速度を変化させる変調データを生成する段階と、
前記ゲートラインにスキャン信号を供給する段階と、
前記スキャン信号と同期するように前記変調データをアナログビデオ信号に変換し、前記データラインに供給する段階と、
フレーム単位に入力されるソースデータを保存する段階と、
入力される現在のフレームのソースデータと以前のフレームのソースデータを用いて、動き検出部によって動く表示映像の動き速度に対応する動き大きさ信号を検出する段階であって、前記動き検出部が、前記以前のフレームから前記現在のフレームへの動きに対するＸ軸変位及びＹ軸変位である動きベクトルＸ及びＹを検出して前記動き大きさ信号を検出する段階と、
前記動き大きさ信号によって、表示映像の境界部でアンダーシュートが発生するようにデータをフィルタリングする段階と、
前記フィルタリングされた現在のフレームのデータを保存する段階と、
相異なる高速データが登載された複数のルックアップテーブルを用いて複数の高速データを生成し、前記複数の高速データのうち前記動き大きさ信号に該当する一つの高速データを選択して出力する段階と、
フィルタリングされた現在のフレームのデータと高速データとを混合して変調データを出力する段階と、
を備え、
前記複数のルックアップテーブルは第１乃至第４のルックアップテーブルを含み、
前記現在のフレーム及び以前のフレームから得られる２ピクセル／フレーム高速データは前記第１のルックアップテーブルに入力され、
前記現在のフレーム及び以前のフレームから得られる４ピクセル／フレーム高速データは前記第２のルックアップテーブルに入力され、
前記現在のフレーム及び以前のフレームから得られる６ピクセル／フレーム高速データは前記第３のルックアップテーブルに入力され、
前記現在のフレーム及び以前のフレームから得られる８ピクセル／フレーム高速データは前記第４のルックアップテーブルに入力されることを特徴とする、液晶表示装置の駆動方法。
【請求項９】
前記高速データを出力する段階は、
前記フィルタリングされた現在のフレームのデータと以前のフレームのデータが入力され、相異なる複数の高速データをそれぞれ出力する段階と、
入力される複数の高速データのうち、前記動き大きさ信号による高速データを選択して出力する段階と、
を含むことを特徴とする、請求項８に記載の液晶表示装置の駆動方法。
【請求項１０】
前記データをフィルタリングする段階は、
現在のフレームのデータから、動く表示映像の境界部を検出する段階と、
前記動き大きさ信号によって、前記検出された表示映像の境界部でアンダーシュートが発生するようにデータをフィルタリングする段階と、
を含むことを特徴とする、請求項８に記載の液晶表示装置の駆動方法。
【発明の詳細な説明】
【技術分野】
【０００１】
本発明は、液晶表示装置に係り、特に、映像のモーションブラー（Motion Blurring）を除去して画質を向上できるようにした液晶表示装置の駆動装置及び駆動方法に関する。
【背景技術】
【０００２】
一般に、液晶表示装置（Liquid Crystal Display）は、ビデオ信号によって液晶セルの光透過率を調節して映像を表示する。液晶セルごとにスイッチング素子が形成されたアクティブマトリクス（Active Matrix）タイプの液晶表示装置は、動映像を表示するのに適している。アクティブマトリクスタイプの液晶表示装置に使用されるスイッチング素子には、主として薄膜トランジスタ（Thin Film Transistor：ＴＦＴ）が用いられている。
【０００３】
図１は、関連技術による液晶表示装置の駆動装置を概略的に示す図である。
【０００４】
図１を参照すると、関連技術による液晶表示装置の駆動装置は、ｎ本のゲートラインＧＬ１〜ＧＬｎとｍ本のデータラインＤＬ１〜ＤＬｍとによって定義される領域ごとに形成された液晶セルを有する映像表示部２と、データラインＤＬ１〜ＤＬｍにアナログビデオ信号を供給するデータドライバ４と、ゲートラインＧＬ１〜ＧＬｎにスキャンパルスを供給するゲートドライバ６と、外部から入力されるデータＲＧＢを整列してデータドライバ４に供給し、データ制御信号ＤＣＳを生成してデータドライバ４を制御すると同時に、ゲート制御信号ＧＣＳを生成してゲートドライバ６を制御するタイミングコントローラ８と、を備える。
【０００５】
映像表示部２は、互いに対向して合着されたトランジスタアレイ基板及びカラーフィルタアレイ基板と、これら両アレイ基板の間でセルギャップを一定に維持させるスペーサと、スペーサによって形成された液晶空間に埋め込まれた液晶と、を備える。
【０００６】
このような映像表示部２は、各ゲートラインＧＬ１〜ＧＬｎからのスキャン信号に応答して各データラインＤＬ１〜ＤＬｍからのアナログビデオ信号を各液晶セルに供給する。液晶セルは、液晶を介在して対面する共通電極とＴＦＴに接続された画素電極で構成されるので、等価的に液晶キャパシタＣｌｃで表示されることができる。このような液晶セルは、液晶キャパシタＣｌｃに充電されたアナログビデオ信号を、次のアナログビデオ信号が充電されるまで保持するためのストレージキャパシタＣｓｔを備える。
【０００７】
タイミングコントローラ８は、外部から入力されるデータＲＧＢを映像表示部２の駆動に適するように整列してデータドライバ４に供給する。また、タイミングコントローラ８は、外部から入力されるドットクロックＤＣＬＫ、データイネーブル信号ＤＥ、水平及び垂直同期信号Ｈｓｙｎｃ、Ｖｓｙｎｃを用いてデータ制御信号ＤＣＳとゲート制御信号ＧＣＳを生成して、データドライバ４とゲートドライバ６の駆動タイミングをそれぞれ制御する。
【０００８】
ゲートドライバ６は、タイミングコントローラ８からのゲート制御信号ＧＣＳに応答して、スキャン信号、すなわち、ゲートハイ信号を順次に発生するシフトレジスタを備える。このゲートドライバ６は、ゲートハイ信号をゲートラインＧＬに順次に供給して、ゲートラインＧＬに接続されたＴＦＴをターンオンさせる。
【０００９】
データドライバ４は、タイミングコントローラ８から供給されるデータ制御信号によって、タイミングコントローラ８からの整列されたデータ信号Ｄａｔａをアナログビデオ信号に変換し、ゲートラインＧＬにスキャン信号が供給される１水平周期ごとに１水平ライン分のアナログビデオ信号をデータラインＤＬに供給する。すなわち、データドライバ４は、データ信号Ｄａｔａの階調値によって、所定レベルを有するガンマ電圧を選択し、選択されたガンマ電圧をデータラインＤＬ１〜ＤＬｍに供給する。このとき、データドライバ４は、極性制御信号ＰＯＬに応答して、データラインＤＬに供給されるアナログビデオ信号の極性を反転させるようになる。
【００１０】
このような関連技術による液晶表示装置の駆動装置は、液晶固有の粘性及び弾性などの特性によって応答速度が遅いという短所がある。すなわち、液晶応答速度は、液晶材料の物性とセルギャップなどによって異なってくるが、通常、立上り時間が２０〜８０ｍｓで、立下り時間が２０〜３０ｍｓである。このような液晶の応答速度は動く表示映像の１フレーム期間（ＮＴＳＣ：１６．６７ｍｓ）よりも長いため、図２のように液晶セルに充電される電圧が望む電圧に至る前に次のフレームに進行してしまう。
【００１１】
これにより、映像表示部２に表示される各フレームの表示映像が次のフレームの表示映像に影響を及ぼすため、観覧者の知覚特性上、映像表示部２に表示される動く表示映像がボケて見えるモーションブラー現象が生じる。
【００１２】
したがって、関連技術による液晶表示装置の駆動装置及び駆動方法は、表示映像で発生するモーションブラー現象によってコントラスト比（Contrast Ratio）が低下し画質が落ちるという問題点があった。
【００１３】
このような関連技術の液晶表示装置で発生するモーションブラー現象を防止すべく、液晶の応答速度を速くするためのデータ信号を変調する高速駆動（Over Driving）装置が提案された。
【００１４】
図３は、関連技術による高速駆動装置を概略的に示すブロック図である。
図３を参照すると、関連技術による高速駆動装置５０は、入力される現在のフレームＦｎのデータＲＧＢを保存するフレームメモリ５２と、入力される現在フレームＦｎのデータＲＧＢとフレームメモリ５２に保存されている以前のフレームＦｎ−１のデータとを比較し、液晶の応答速度を速くするための変調データを生成するルックアップテーブル５４と、ルックアップテーブル５４からの変調データと現在のフレームＦｎのデータＲＧＢとをミキシングして出力するミキシング部５６と、を備える。
【００１５】
ルックアップテーブル５４には、液晶の応答速度を速くするために、入力されるデータＲＧＢの電圧よりも大きい電圧に変換するための変調データＲ’Ｇ’Ｂ’が登載される。
【００１６】
このように構成される関連技術による高速駆動装置５０は、ルックアップテーブル５４を用いて、図４に示すように実際のデータ電圧よりも大きい電圧を液晶に印加し、表示表示映像のモーションブラー現象を減少させることができる。
【発明の開示】
【発明が解決しようとする課題】
【００１７】
しかしながら、関連技術による液晶表示装置は、現在のフレームのデータと以前のフレームのデータとを比較して一括的に変調データを生成し、よって、映像のモーションブラーを除去するのには限界があった。
【００１８】
本発明は上記の問題点を解決するためのもので、その目的は、映像のモーションブラーを除去して画質を向上できるようにした液晶表示装置の駆動装置及び駆動方法を提供することにある。
【課題を解決するための手段】
【００１９】
上記目的を達成する本発明に係る液晶表示装置の駆動装置は、複数のゲートラインと複数のデータラインによって定義されるピクセル領域ごとに形成された液晶セルを有する映像表示部と、入力されるソースデータから動く表示映像の動きを検出し、前記動きによって液晶の応答速度を変化させる変調データを生成する高速駆動装置部と、前記ゲートラインにスキャン信号を供給するゲートドライバと、前記変調データをアナログビデオ信号に変換して前記データラインに供給するデータドライバと、前記変調データを整列してデータドライバに供給し、データ制御信号を生成して前記データドライバを制御すると同時に、ゲート制御信号を生成して前記ゲートドライバを制御するタイミングコントローラと、を備える。
【００２０】
上記目的を達成する本発明に係る液晶表示装置の駆動方法は、映像を表示する映像表示部を有する液晶表示装置の駆動方法において、入力されるソースデータから、動く表示映像の動きを検出し、前記動きによって液晶の応答速度を変化させる変調データを生成する第１段階と、ゲートラインにスキャン信号を供給する第２段階と、前記スキャンパルスに同期するように前記変調データをアナログビデオ信号に変換してデータラインに供給する第３段階と、を含む。
【発明の効果】
【００２１】
本発明に係る液晶表示装置の駆動装置及び駆動方法によれば、相異なる高速データが登載された複数のルックアップテーブルを用いて複数の高速データを生成し、表示映像の動きを検出し、これら複数の高速データのうち、当該動きに該当する変調データを出力するため、動く表示映像の動きによって変調データを出力し、動く映像のモーションブラー現象を除去することが可能になる。
【発明を実施するための最良の形態】
【００２２】
図５は、本発明による液晶表示装置の駆動装置を概略的に示す図である。
【００２３】
図５を参照すると、本発明による液晶表示装置の駆動装置は、ｎ本のゲートラインＧＬ１〜ＧＬｎとｍ本のデータラインＤＬ１〜ＤＬｍによって定義される画素領域ごとに形成された液晶セルを有する映像表示部１０２と、外部から供給されるソースデータＲＧＢから、動く表示映像の動き速度によって液晶の応答速度を変化させる変調データＲ’Ｇ’Ｂ’を生成する高速駆動装置部１１０と、ゲートラインＧＬ１〜ＧＬｎにスキャン信号を供給するゲートドライバ１０６と、変調データＲ’Ｇ’Ｂ’をアナログビデオ信号に変換してデータラインＤＬ１〜ＤＬｍに供給するデータドライバ１０４と、高速駆動装置部１１０からの変調データＲ’Ｇ’Ｂ’を整列してデータドライバ１０４に供給し、データ制御信号ＤＣＳを生成してデータドライバ１０４を制御すると同時に、ゲート制御信号ＧＣＳを生成してゲートドライバ１０６を制御するタイミングコントローラ１０８と、を備える。
【００２４】
映像表示部１０２は、互いに対向して合着された薄膜トランジスタアレイ基板及びカラーフィルタアレイ基板と、これら両アレイ基板間でセルギャップを一定に維持させるスペーサと、スペーサによって形成された液晶空間に埋め込まれた液晶と、を備える。
【００２５】
このような映像表示部１０２は、各ゲートラインからのスキャン信号に応答して、各データラインからのアナログ信号を各液晶セルに供給する。液晶セルは、液晶を介在して対面する共通電極とＴＦＴに接続された画素電極とで構成されるので、等価的にキャパシタＣｌｃで表示されることができる。このような液晶セルは、キャパシタＣｌｃに充電されたアナログビデオ信号を、次のアナログビデオ信号が充電されるまで維持させるストレージキャパシタＣｓｔを備える。
【００２６】
高速駆動装置部１１０は、現在のフレームソースデータＲＧＢと以前のフレームデータとを比較して表示映像の動きを検出し、動きの速度に該当する変調データＲ’Ｇ’Ｂ’を出力する。
【００２７】
タイミングコントローラ１０８は、高速駆動装置部１１０からの変調データＲ’Ｇ’Ｂ’を、映像表示部１０２の駆動に対応するデータ信号Ｄａｔａに整列してデータドライバ１０４に供給する。また、タイミングコントローラ１０８は、外部から入力されるドットクロックＤＣＬＫ、データイネーブル信号ＤＥ、水平及び垂直同期信号Ｈｓｙｎｃ，Ｖｓｙｎｃを用いてデータ制御信号ＤＣＳとゲート制御信号ＧＣＳを生成して、データドライバ１０４とゲートドライバ１０６の駆動タイミングをそれぞれ制御する。
【００２８】
ゲートドライバ１０６は、タイミングコントローラ１０８からのゲート制御信号ＧＣＳに応答して、スキャンパルス、すなわち、ゲートハイ信号を順次に発生するシフトレジスタを備える。このようなゲートドライバ１０６は、ゲートハイ信号をゲートラインＧＬに順次に供給し、ゲートラインＧＬに接続されたＴＦＴをターンオンさせる。
【００２９】
データドライバ１０４は、タイミングコントローラ１０８から供給されるデータ制御信号ＤＣＳによって、タイミングコントローラ１０８で整列されたデータ信号Ｄａｔａをアナログビデオ信号に変換し、ゲートラインＧＬにスキャンパルスが供給される１水平周期ごとに、１水平ライン分のアナログビデオ信号を各データラインＤＬに供給する。すなわち、データドライバ１０４は、データ信号Ｄａｔａの階調値によって、所定レベルを有するガンマ電圧を選択し、アナログビデオ信号を生成し、該生成されたアナログビデオ信号を各データラインＤＬ１〜ＤＬｍに供給する。このときに、データドライバ１０４は、極性制御信号ＰＯＬに応答して、データラインＤＬに供給されるアナログビデオ信号の極性を反転させるようになる。
【００３０】
図６は、本発明の第１実施例による高速駆動装置部を概略的に示すブロック図である。
【００３１】
図６を参照すると、本発明の第１実施例による高速駆動装置部１１０は、フレーム単位に入力されるソースデータＲＧＢを保存するメモリ部２１０、入力される現在フレームＦｎのソースデータＲＧＢとメモリ部２１０からの以前フレームＦｎ−１のソースデータを用いて、動く表示映像の動き速度に対応する動き大きさ信号Ｍｓを検出する動き検出部３１０、異なる高速データが登載された複数のルックアップテーブルを用いて複数の高速データを生成し、動き大きさ信号Ｍｓによって複数の高速データのうち一つを選択して出力する高速データ生成部４１０、及び現在フレームＦｎのソースデータと高速データＭＲＭＧＭＢとをミキシングして変調データＲ’Ｇ’Ｂ’を出力するミキシング部５１０と、を備えて構成される。
【００３２】
メモリ部２１０は、入力される現在のフレームＦｎのデータＲＧＢを保存し、以前のフレームＦｎ−１のデータを、動き検出部３１０と高速データ生成部４１０に出力する。
【００３３】
動き検出部３１０は、以前のフレームＦｎ−１から現在のフレームＦｎへの動きに対するＸ軸変位及びＹ軸変位である動きベクトルＸ、Ｙを検出し、下の数式１によって動き大きさ信号Ｍｓを検出して高速データ生成部４１０に供給する。すなわち、動き大きさ信号Ｍｓは、動く表示映像のフレーム当たり移動したピクセル数に対応する動き速度を指す。
【００３４】
【数１】
0004597949.tif 000002
【００３５】
高速データ生成部４１０は、図７に示すように、第１乃至第ｎのルックアップテーブルＬ１〜Ｌｎと、選択部４１２とを備える。
【００３６】
第１乃至第ｎのルックアップテーブルＬ１〜Ｌｎのそれぞれには、動く表示映像のフレーム当たり移動したピクセル数別に設定された高速データが登載される。すなわち、第１ルックアップテーブルＬ１は、２ピクセル／フレームでのルックアップテーブルであり、入力される現在のフレームと以前のフレームを、２ピクセル／フレームでのルックアップテーブルで比較し、図８の（ａ）に示すように、２ピクセル／フレームに該当する第１高速データＦＬ１を生成し、第２ルックアップテーブルＬ２は、４ピクセル／フレームでのルックアップテーブルであり、入力される現在のフレームと以前のフレームを、４ピクセル／フレームでのルックアップテーブルで比較し、図８の（ｂ）に示すように、表示映像の４ピクセル／フレームに該当する第２高速データＦＬ２を生成する。同様に、図８の（ｃ）及び図８の（ｄ）に示すように、６ピクセル／フレームに該当する第３高速データＦＬ３及び８ピクセル／フレームに対応する第４高速データＦＬ４等がそれぞれ生成される。
【００３７】
選択部４１２は、当該入力された第１乃至第ｎの高速データＦＬ１〜ＦＬｎのうち、動き検出部３１０で検出された動き大きさ信号Ｍｓに該当する高速データＭＲＭＧＭＢを出力する。
【００３８】
ミキシング部５１０は、現在のフレームＦｎのデータと高速データＭＲＭＧＭＢとを混合して変調データＲ’Ｇ’Ｂ’を出力する。
【００３９】
このような、本発明の第１実施例による液晶表示装置の駆動装置及び駆動方法によれば、相異なる高速データが登載された複数のルックアップテーブルを用いて複数の高速データを生成し、表示映像の動きを検出し、これら複数の高速データのうち、当該動きに該当する変調データを出力することによって、動く表示映像の動きによって変調データを出力するため、動く映像のモーションブラー現象を除去することが可能になる。
【００４０】
図９は、本発明の第２実施例による高速駆動装置部を概略的に示すブロック図である。本発明の第２実施例による高速駆動装置部は、動く表示映像の境界部でアンダーシュートが発生するように現在フレームのデータをフィルタリングして入・出力する以外は、本発明の第１実施例と略同一の構成を有する。これについて詳細に説明すると、下記の通りである。
【００４１】
図９に示すように、本発明の第２実施例による高速駆動装置部１１０は、フレーム単位に入力されるソースデータＲＧＢを保存する第１メモリ部２１１、入力される現在のフレームＦｎのソースデータとメモリ部２１０からの以前のフレームＦｎ−１のソースデータを用いて、動く表示映像の動き速度に対応する動き大きさ信号Ｍｓを検出する動き検出部３１１、動き大きさ信号Ｍｓによって表示映像の境界部でアンダーシュートが発生するようにデータをフィルタリングする動きフィルタ部２１４、動きフィルタ部２１４でフィルタリングされた現在フレームＤＦｎのデータ及びフレーム単位に入力されるフィルタリングされたデータを保存する第２メモリ部２１６、相異なる高速データが登載された複数のルックアップテーブルを用いて複数の高速データを生成し、これら複数の高速データのうち、当該動き大きさ信号に該当する一つの高速データＭＲＭＧＭＢを選択して出力する高速データ生成部４１１、及びフィルタリングされた現在フレームＤＦｎのデータと高速データＭＲＭＧＭＢをミキシングして変調データＲ’Ｇ’Ｂ’を出力するミキシング部５１１を備えて構成される。
【００４２】
第１メモリ部２１１は、入力される現在のフレームＦｎのデータＲＧＢを保存し、以前のフレームＦｎ−１のデータを動き検出部３１１に出力する。
動き検出部３１１は、以前のフレームＦｎ−１から現在のフレームＦｎへの動きに対するＸ軸変位及びＹ軸変位である動きベクトルＸ，Ｙを検出し、上記の数式１によって動き大きさ信号Ｍｓを検出して高速データ生成部４１１及び動きフィルタ部２１４にそれぞれ供給する。
【００４３】
動きフィルタ部２１４は、図１０に示すように、現在のフレームのデータから、動く表示映像の境界部（ＧＢＤ：図１２（ａ）及び図１３（ａ）の“Ａ”）を検出する境界検出部２０３と、動き大きさ信号Ｍｓによって、検出された表示映像の境界部ＧＢＤでアンダーシュートが発生するようにデータをフィルタリング（図１２の（ｂ）及び図１３の（ｂ））するアンダーシュート発生部２０４と、を備え、当該フィルタリングされた現在のフレームのデータは、第２メモリ部２１６に供給される。
【００４４】
第２メモリ部２１６は、動きフィルタ部２１４から供給されるフィルタリングされた現在のフレームＤＦｎのデータを保存する。
【００４５】
高速データ生成部４１１は、図１１に示すように、第１乃至第ｎのルックアップテーブルＬ１〜Ｌｎと選択部４１３とを備える。
【００４６】
第１乃至第ｎのルックアップテーブルＬ１〜Ｌｎのそれぞれには、動く表示映像のフレーム当たり移動したピクセル数別に設定された高速データが登載される。すなわち、第１ルックアップテーブルＬ１は、２ピクセル／フレームでのルックアップテーブルであり、入力される現在のフレームと以前のフレームを２ピクセル／フレームでのルックアップテーブルで比較し、図８の（ａ）に示すように２ピクセル／フレームに該当する第１高速データＦＬ１を生成し、第２ルックアップテーブルＬ２は、４ピクセル／フレームでのルックアップテーブルであり、入力される現在のフレームと以前のフレームを４ピクセル／フレームでのルックアップテーブルで比較し、図８の（ｂ）に示すように、表示映像の４ピクセル／フレームに該当する第２高速データＦＬ２を生成する。同様に、図８の（ｃ）及び図８の（ｄ）に示すように、６ピクセル／フレームに該当する第３高速データＦＬ３及び８ピクセル／フレームに対応する第４高速データＦＬ４等がそれぞれ生成される。
【００４７】
選択部４１３は、当該入力された第１乃至第ｎの高速データＦＬ１〜ＦＬｎのうち、動き検出部３１１で検出された動き大きさ信号Ｍｓに該当する高速データＭＲＭＧＭＢを出力する。
【００４８】
ミキシング部５１１は、フィルタリングされた現在のフレームＦｎのデータと高速データＭＲＭＧＭＢとを混合して変調データＲ’Ｇ’Ｂ’を出力する。
【００４９】
このような、本発明の第２実施例による液晶表示装置の駆動装置及び駆動方法によれば、相異なる高速データが登載された複数のルックアップテーブルを用いて複数の高速データを生成し、表示映像の動きを検出することで、これら複数の高速データのうち、当該動きに該当する変調データを出力するものの、当該現在のフレーム及び以前のフレームのデータは、動く表示映像の境界部でアンダーシュートが発生するようにフィルタリングされたデータであり、したがって、動く表示映像の動きによって変調データを出力すし、動く映像のモーションブラー現象を除去することが可能になる。
【図面の簡単な説明】
【００５０】
【図１】一般の液晶表示装置の駆動装置を概略的に示す図である。
【図２】図１に示す液晶セルの応答速度及び輝度を示す図である。
【図３】関連技術による高速駆動装置を概略的に示すブロック図である。
【図４】図３に示す高速駆動装置による液晶セルの応答速度及び輝度を示す図である。
【図５】本発明による液晶表示装置の駆動装置を概略的に示す図である。
【図６】本発明の第１実施例による高速駆動装置部を概略的に示すブロック図である。
【図７】本発明の第１実施例による高速駆動装置部の高速データ生成部を示すブロック図である。
【図８】複数のルックアップテーブルにそれぞれ登載された高速データを示すグラフである。
【図９】本発明の第２実施例による高速駆動装置部を概略的に示すブロック図である。
【図１０】本発明の高速データ生成部の動きフィルタ部を示すブロック図である。
【図１１】本発明の第２実施例による高速駆動装置部の高速データ生成部を示すブロック図である。
【図１２】本発明の第２実施例によるフィルタリングによる、動く表示映像の境界部を示す波形図である。
【図１３】本発明の第２実施例によるフィルタリングによる、動く表示映像の境界部を示す波形図である。
【図１】
0004597949.tif 000003
【図２】
0004597949.tif 000004
【図３】
0004597949.tif 000005
【図４】
0004597949.tif 000006
【図５】
0004597949.tif 000007
【図６】
0004597949.tif 000008
【図７】
0004597949.tif 000009
【図８】
0004597949.tif 000010
【図９】
0004597949.tif 000011
【図１０】
0004597949.tif 000012
【図１１】
0004597949.tif 000013
【図１２】
0004597949.tif 000014
【図１３】
0004597949.tif 000015